(57)【特許請求の範囲】
【請求項１】
仰臥的状態の就寝時において、後頭部から後ろ腰を経て後ろ膝にわたって宛がわれる長さを有する枕状物体であって、前記枕状物体は、各々左右の肩に装着できる一対の肩用装着手段と、後ろ腰側から腹部に巻かれて腰回りに装着できる腰用装着手段と、左右の太股に巻かれて各々左右の太股に装着できる一対の太股用装着手段とを備えたことを特徴とするいびき抑制用背枕。
【請求項２】
枕状物体は、後頭部から後ろ膝を経て踵に至る長さを有する枕状物体であることを特徴とする請求項１に記載のいびき抑制用背枕。
【請求項３】
枕状物体の横断面が円形状であることを特徴とする請求項１又は請求項２に記載のいびき抑制用背枕。
【請求項４】
枕状物体の横断面が、一辺が床面に接する三角形状であることを特徴とする請求項１又は請求項２に記載のいびき抑制用背枕。
【請求項５】
枕状物体の横断面が斜辺の一つが床面に接する台形状であることを特徴とする請求項１又は請求項２に記載のいびき抑制用背枕。
【請求項６】
枕状物体は、その後頭部から延在する方向に向かって次第に横断面形状が拡大する物体であることを特徴とする請求項１乃至請求項５の何れかに記載のいびき抑制用背枕。
【発明の詳細な説明】
【技術分野】
【０００１】
本発明は、いびき（鼾）の発生を抑制するため、仰臥的状態の就寝時において、少なくとも頭部から背にわたって宛がわれる長さを有する枕状物体であって、その長さ方向を身長方向に向けて用いられる背枕に関する。
【背景技術】
【０００２】
「いびき」を抑制するための枕、即ち、後頭部に宛がわれて普通に用いられる枕を改良した「いびき」抑制用の枕は多々知られているが、本発明のように、枕の長さ方向を身長方向に向けて用いる比較的長大な背枕の存在は知られていない。
【発明の概要】
【発明が解決しようとする課題】
【０００３】
「いびき」の発生は、概ね、次の通りである。
即ち、顔を真上にして顔面が床面と平行になる所謂仰臥した状態で就寝していると、口腔内において、舌がその自重で気道を塞ぐ位置に自然に降下し、無意識な状態で気道を塞ぐ邪魔な部位に位置するようになると、睡眠時に気道を通る呼気が気道を確保のため呼気圧で邪魔な舌を押しのけて断続的に僅かな間隙を確保する、その確保された間隙を通過する際の呼気によって所謂「いびき」が発生するのである。
【０００４】
従来の「いびき」を抑制するための枕は、就寝時に顔面が床面と平行にならないように所謂普通の枕を改良して、顔面が床面に対して傾斜するよう、即ち、顔面を右又は左に傾斜させる構造としたに過ぎない枕である。
【０００５】
しかしながら、就寝当初は意識して、その「いびき」抑制用枕を使用目的に沿って頭部に宛がいセットして寝に就くが、人は、健康な人ほど、就寝中に幾度も寝返りを打つものである。
従って、就寝当初はいびき防止のため正しくセットされた寝姿も、熟睡した就寝最中では、無意識な寝返りのため、正に無意識に寝姿が変わって、「いびき」を発生させる姿勢になってしまう。
しかも、いびきを発生させやすい仰臥姿勢は、人間にとって最も自然で且つ楽な姿勢であるから、その頻度は少なくないのである。
【課題を解決するための手段】
【０００６】
本発明は、就寝中の「いびき」の発生を抑制する姿勢を確保できる、いびき抑制用背枕の提供を目的とする。
【０００７】
請求項１のいびき抑制用背枕の発明は、仰臥的状態の就寝時において、後頭部から後ろ腰を経て後ろ膝にわたって宛がわれる長さを有する枕状物体であって、前記枕状物体は、各々左右の肩に装着できる一対の肩用装着手段と、後ろ腰側から腹部に巻かれて腰回りに装着できる腰用装着手段と、左右の太股に巻かれて各々左右の太股に装着できる一対の太股用装着手段とを備えたことを特徴とする。
【０００８】
請求項２のいびき抑制用背枕の発明は、請求項１のいびき抑制用背枕の発明において、枕状物体は、後頭部から後ろ膝を経て踵に至る長さを有する枕状物体であることを特徴とする。
【０００９】
請求項３の発明は、請求項１又は請求項２に記載のいびき抑制用背枕において、枕状物体の横断面が円形状であることを特徴とする。
【００１０】
請求項３の発明は、請求項１又は請求項２に記載のいびき抑制用背枕において、枕状物体の横断面が、一辺が床面に接する三角形状であることを特徴とする。
【００１１】
請求項５の発明は、請求項１又は請求項２に記載のいびき抑制用背枕において、枕状物体の横断面が斜辺の一つが床面に接する台形状であることを特徴とする。
【００１２】
請求項６の発明は、請求項１乃至請求項５の何れかに記載のいびき抑制用背枕において、枕状物体は、その後頭部から延在する方向に向かって次第に横断面形状が拡大する物体であることを特徴とする。
【発明の効果】
【００１３】
請求項1乃至請求項６の各発明によれば、何れも、本装置を装着して就寝することにより、就寝中の無意識な寝返りで顔面が床面と平行とならず、常に、床面に対して傾斜した姿勢を維持させることができ、「いびき」の発生を効果的に抑制させることができる。
【００１４】
請求項１乃至請求項３の各発明によれば、何れも、顔面を傾斜させるための枕状物体を肩個体用帯と腰用装着手段更には太股用装着手段等の固定用帯によって身体後背に確実に装着することができるので、就寝中の身体から離脱するのを阻止することができる。
【００１５】
又、請求項１乃至請求項３の各発明によれば、何れも、顔面だけでなく胴体と共に頭部即ち顔面を、床面に対して就寝中常時傾斜させることになるので、頭部即ち顔面だけを傾斜させる従来のいびき抑制用の枕に較べて、顔面の傾斜維持が楽になり、身体にも無理なく安眠させることができる。
【００１６】
請求項１２や請求項２の各発明によれば、何れも、枕状物体を左右の太股にも装着することができるので身体への装着をより確実にすることができる。
【００１７】
請求項３の発明によれば、枕状物体の横断面が円形であるので、就寝時の身体即ち顔面の傾斜方向を左右何れの方向にも任意に選択することができると共に、仮に、大きな左右方向の寝返りが生じて当該枕状物体を乗り越えて身体が左右何れか側に寝返ったとしても、顔面の傾斜を左右何れかの傾斜方向で維持させることができ、いびきを抑制させることができる。
【００１８】
請求項４の発明によれば、仮に、枕状物体の横断面を正三角形状とすれば、上記請求項３の発明と同様に、就寝時の身体即ち顔面の傾斜方向を左右何れの方向にも任意に選択することができると共に、仮に、大きな左右方向の寝返りが生じて当該枕状物体を乗り越えて身体が左右何れか側に寝返ったとしても、顔面の傾斜を左右何れかの傾斜方向で維持させることができ、いびきを抑制させることができる。
【００１９】
請求項５の発明によれば、就寝使用時の枕状物体の横断面が横倒しされた台形状となるので、就寝時の身体即ち顔面の傾斜方向を自身が寝やすい一方方向に固定化することができる。
【００２０】
又、請求項４の発明によれば、仮に、就寝使用時の枕状物体の横断面が横倒しされた二等辺三角形とすれば、請求項５の発明と同様に、就寝時の身体即ち顔面の傾斜方向を自身が寝やすい一方方向に固定化することができる。
【００２１】
請求項６の発明によれば、傾斜状態の身体の重圧が大きくなる腰部に向かって枕状物体の断面形状を次第に大きくしておくことにより、当該枕状物質の内部構造が頭部から延在する方向にむかって均等に構成されていても、大きな重圧を受ける胴体側と比較的小さな重圧を受ける頭部側とに寄り掛かる身体の傾斜面を顔面傾斜面と同角度の傾斜に保たせることができるので、身体にねじれを生じさせ難いいびき抑制用背枕を提供することができる。
【図面の簡単な説明】
【００２２】
【図１】図１は本発明の実施例１のいびき抑制用背枕の斜視図である（実施例１）。
【図２】図２は本発明の実施例２のいびき抑制用背枕の斜視図である（実施例２）。
【図３】図３は横断面が円形状のいびき抑制用背枕の説明図である（実施例１、２）。
【図４】図４は横断面が正三角形状のいびき抑制用背枕の説明図である（実施例３）。
【図５】図５は横断面が台形状のいびき抑制用背枕の説明図である（実施例４）。
【発明を実施するための最良の形態】
【００２３】
本発明を実施するための最良の形態として示す実施例1〜４を図面に基づいて、以下説明する。
【実施例１】
【００２４】
実施例１は、本発明のいびき抑制用背枕を、仰臥的状態の就寝時において、後頭部から後ろ腰にわたって宛がわれる長さを有する枕状物体であって、この枕状物体に、各々左右の肩に装着できる一対の肩用装着手段と、後ろ腰側から腹部に巻かれて腰回りに装着できる腰用装着手段とを備えた構成としたものである。
【００２５】
図１において、符号１は枕状物体、２は肩用装着手段、３は腰用装着手段である。
枕状物体１は、一般的な枕をその長さ方向に後頭部から少なくとも後ろ腰に宛がわれるように、例えば６００ミリメートルから１３００ミリメートル程度に長大化させたものであり、内部構造は市販されている多種多様な一般的な枕の構造と同様である。
例えばポリエステルやもみ殻或いはそば殻等を詰め物とし、外装生地としてはポリエステルや面或いは柔道着のような刺子等を用いる。
【００２６】
図示の枕状物体１は、横断面が円形状であり、後頭部即ちより具体的には後頭部が宛がわれる口頭部相当部位から後ろ腰方向に延在する方向に向かって、次第に円形の径が拡大する截頭円錐形状にしてある。
例えば、図１は截頭円錐形状であることを一目で視認できるように、誇張して図示してあるが、実際は、後頭部（後頭部相当部位）から後ろ腰（後ろ腰相当部位）の端から端までの長さ１２００ミリメートルの枕状物体において、後頭部側の径４００ミリメートル、後ろ腰側の径４２０ミリメートルにしてある。
【００２７】
図示の実施例のように、枕状物体の形状を円錐の頭部を切断した截頭円錐形状のテーパー形状とすることによって、装着した使用者の寝返りをし難くすると共に、後述する理想的な寝姿（姿勢）を維持させることができる。
【００２８】
しかしながら、本発明の枕状物体１は、必ずしも図示した截頭円錐形状である必要は無く、図示していないが、一方端から他端側までの断面形状が同一の単なる円柱形状でもよいし、その他の一般的な枕の形状としてもよい。
【００２９】
肩用装着手段２は、図では、一本の帯体の両端を枕状物体１の適所にＵ字状に固着した左右一対の装着手段を用いており、その一対のＵ字状の左右の装着手段２１、２２に各々左右の腕を通して肩に掛けるよう、即ち、リュックサックを背負うように、枕状物体１を、その後頭部相当部位から背中相当部位までを背中に当接した状態で装着するようにしてある。
【００３０】
肩用装着手段２としての装着手段２１，２２は、勿論図示の例に限らず、要は、枕状物体１の後頭部相当部位から背中相当部位までを背中に当接した状態で維持可能（当接維持可能）な装着手段であればよい。
装着手段としては、例えば、リックサックのような背負い物やベルト等に用いられるボタン止めやバックル等の係脱自在な係止手段を用いたものや、面ファスナーや紐等、身体に着脱可能に装着できる一般的な手段（装着手段）でよい。
【００３１】
腰用装着手段３は、後ろ腰に延在する枕状物体１を、その後腰相当部位が身体の後ろ腰に当接されて維持する手段であり、図示では、左右の後ろ腰側から腹部に巻かれ、腹部正面側で着脱できるバックルを備えたベルトを用いているが、勿論これに限らず、上記の肩用装着手段２で説明した装着手段（２１、２２）と同様に、一般的な装着手段を用いてよい。
【００３２】
図３は、実施例１のいびき抑制用背枕１（以下、背枕ともいう）を肩用装着手段２（２１．２２）と腰用装着手段９を用いて背側に装着、即ち、背負って、床４に就こうとしている状態を頭頂部側から模式的に示した説明図である。
背枕１を背負って床４に付くと、背枕１の存在が邪魔になって、顔面及び胴体の面（以下、胴体面ともいう）が、水平な床面（４）に対して、平行即ち水平になり得ず、顔面及び胴体面は床面（４）に対して左右何れかに傾斜させられることになる。
【００３３】
尚、ここでいう顔面とは、立体的な顔の外形表面を意味せず、顔を平面的に仮想した面をいう。同様に、胴体面もまた、立体的な身体の外形表面を意味せず、平面的に仮装した面をいう。
換言すれば、顔面とは、左右の耳間を通る仮想直線（以下、耳軸線ともいう）を通り背骨の延在方向と平行な顔領域の面をいい、胴体面もまた、左右の肩間を通る仮想直線（以下、肩軸線ともいう）を通り伸張させた背骨と略平行な手足や頭を除く所謂ボディ（胴体）領域の面をいう。
【００３４】
図３においては、顔面（耳軸線）及び胴体面（肩軸線）の傾斜は床面（４）に対して約６０度程度としてあるが、枕状物体１に体重が掛ると、体圧で枕状物体１は扁平に潰される(図示せず）。
この潰された状態において、顔面（耳軸線）及び胴体面（肩軸線）の傾斜が理想的には約４５度前後となるのが好ましい。そのため、予め、当該枕状物体１は潰された際にその角度が得られる内部構造としておく。
ここで理想的角度である約４５度前後の前後とは、就寝時において、口腔内の舌が気道を塞ぐ位置から外れ得る顔面の角度が必要であるから、
前後幅は、少なくとも約２０度から最大で９０度までの範囲となる。
【００３５】
この実施例１の後頭部位から後ろ腰に宛がわれる背枕１によれば、傾斜された顔面（耳軸線）と共に傾斜される胴体面（肩軸線）が当該顔面（耳軸線）と概ね平行な傾斜面を維持することができるから、
先ず第１に、顔面（耳軸線）の傾斜により、口腔内において弛緩した舌が気道を塞ぐ位置に降下することを防ぐことができる。即ち、気道の位置から下方に舌が降下するからである。
【００３６】
第２に、後ろ腰側にまで達する（延在する）背枕１によって、小さな寝返りを防ぐことができるし、仮に小さな寝返りで身体が動いても、顔面（耳軸線）の傾斜を維持させることができる上、仮に、大きな寝返りがあって身体（胴体）が枕状物体１を乗り越えて図３に示す右側下り傾斜（右傾斜）から反転して図示されていない左側下り傾斜(左傾斜)に反転したとしても、左側下り傾斜においても、右下り傾斜と同様に顔面（耳軸線）及び胴体面（肩軸線）の傾斜を平行に維持させることができる。
【００３７】
第３に、顔面（耳軸線）は常に胴体面（肩軸線）とほぼ面一或いは平行を保つことができるから、口腔内から首に至る気道にねじれを生じさせる虞がなく、ねじれによる気道の狭小化を防き、楽に睡眠時の呼吸を確保することができる。
【実施例２】
【００３８】
実施例２のいびき抑制用背枕（背枕）は、図２に示すように、仰臥的状態の就寝時において、後頭部から後ろ腰を経て後ろ膝にわたって宛がわれる長さを有する枕状物体１０であって、この枕状物体１０は、各々左右の肩に装着できる一対の肩用装着手段２（２１，２２）と、後ろ腰側から腹部に巻かれて腰回りに装着できる腰用装着手段３と、左右の太股に巻かれて各々左右の太股に装着できる一対の太股用装着手段５（５１，５２）とを備えた構成としたものである。
【００３９】
この実施例２のいびき抑制用背枕が、上記実施例１の背枕と相違する点は、実施例１の枕状物体１を後ろ腰部位から膝裏部位まで延長させた構成と、延長させた膝裏部位即ち後ろ太股相当部位において左右の太股に各々巻かれて装着できる太股用装着手段５を設けた構成とした点である。
尚、その他の枕状物体１０の構成や肩用装着手段２（２１，２２）及び腰用装着手段３の構成は上記実施例１と同様であるのでその説明は省略する。
【００４０】
図２において、太股肩用装着手段５は、図では、一本の帯体の両端を枕状物体１０の適所にＵ字状に固着した左右一対の装着手段５１，５２を用いており、その一対のＵ字状の左右の装着手段５１、５２に各々左右の太股を通して巻き付けるよう、即ち、枕状物体１０の延在された後ろ太股相当部位を左右の太股の裏に当接した状態で装着するようにしてある。
【００４１】
太股用装着手段５としての装着手段５１，５２は、勿論図示の例に限らず、要は、枕状物体１０（背枕１０）の後ろ太股に当接される後ろ太股相当部位において、左右の太股に巻き付けられて、当該後ろ太股相当部位が後ろ太股に当接した状態で維持可能（当接維持可能）な装着手段であればよい。
従って、この太股用装着手段５としての装着手段５１，５２は、上記実施例１で説明した肩用装着手段２としての装着手段２１，２２と同様の装着手段であってよい。
【００４２】
この実施例２のいびき抑制用背枕は、上記実施例１の背枕に較べて、枕状物体１０を左右の太股にも装着することができるので身体への装着をより確実にすることができる点で有利である。
即ち、背枕１の長さ方向の一方（上端）側は左右の肩に装着される肩用装着手段２で固定され、他方（下端）側は左右の太股に装着されるこの太股用装着手段５（５１，５２）によって、より確実に背枕１の理想的な装着位置からの位置ずれを阻止することができる上、腹部に巻かれる腰用装着手段３をその分緩やかにすることができるので、就寝中の腹部への圧迫を軽減し、楽な睡眠姿勢を取らせることができる。
【００４３】
この実施例２の枕状物体（背枕）１０では、実施例１の枕状物体（背枕）１を後ろ膝部位まで延長させた構成としてあるが、更に、この後ろ膝を経て踵即ち後ろ踵に当接される部位（後ろ踵相当部位）に至る長さまで延長形成してもよい。要するに、実施例1や実施例２で示した基本的構成さえ備えていれば、枕状物体１、１０にその外の形態を不可しても差し支えない。
【実施例３】
【００４４】
実施例３のいびき抑制用背枕３０は、図３に示すように、上記実施例１や実施例２で説明したいびき抑制用背枕の枕状物体１，１０の横断面を概ね（略）三角形状に構成し、その一辺の一つが床面４に接し、別の一辺が身体の背側に当接されるよう構成したものであり、この横断面形状の外は上記実施例１、や２と同様に構成したものである。
【００４５】
この実施例３のいびき抑制用背枕３０は、その枕状物体３０の横断面を三角形状とすることにより、就寝時の身体即ち顔面の傾斜方向を左右何れの方向にも任意に選択することがより確実にできる。
又、円形状の枕状物体３０に較べて。当該枕状物体３０の傾斜方向や傾斜角度をより安定化させることができる。
又、大きな左右方向の寝返りが容易にできる上、そのような寝返りが生じて当該枕状物体３０を乗り越えて身体が左右何れか側に寝返ったとしても、顔面の傾斜を左右何れかの傾斜方向により確実且つ安定的に維持させることができる。
【実施例４】
【００４６】
実施例４のいびき抑制用背枕は、図４に示すように、上記実施例１や実施例２で説明したいびき抑制用背枕の枕状物体１，１０の横断面を、斜辺の一つが床面４に接する台形状に構成し、斜辺の一つが床面４に接し、別の斜辺が身体の背側に当接されるよう構成したものであり、この横断面形状の外は上記実施例１、や２と同様に構成したものである。
【００４７】
この実施例４のいびき抑制用背枕は、その枕状物体４０の横断面を台形状とすることにより、就寝時の身体即ち顔面の傾斜方向を左右何れか一定の方向に維持させることができる。
この場合、図４に示す枕状物体４０は、下辺に較べて短い上辺が右側となるように構成されているから、右下り傾斜用の背枕であり、図示されていないが、短い上辺が左側となるように構成された枕状物体であれば、右下り傾斜用の背枕となるため、使用者は何れかの背枕を任意に選択して使用することになる。
【産業上の利用可能性】
【００４８】
本発明は、いびき抑制用の背枕として発明されたものであるが、就寝時の頭部及び身体（胴体）の姿勢を左右何れかの方向に比較的安定的に傾斜維持させる作用効果を発揮させるものであるから、手術後、或いは治療時の姿勢を左右何れかの方向に傾斜維持させるための医療器具としても活用することができる。
【符号の説明】
【００４９】
１    枕状物体（実施例１）
２    肩用装着手段
２０  枕状物体（実施例２）
２１  装着手段（肩用装着手段）
２２  装着手段（肩用装着手段）
３    腰用装着手段
３０  枕状物体（実施例３）
４    床
４０  枕状物体（実施例４）
５    太股用装着手段
５０  枕状物体（実施例４）
５１  装着手段（太股装着手段）
５２  装着手段（太股装着手段）
【要約】      （修正有）【課題】就寝中の「いびき」の発生を抑制する姿勢を確保できる、いびき抑制用背枕を提供する。【解決手段】いびき抑制用背枕は、仰臥的状態の就寝時において、後頭部から後ろ腰にわたって宛がわれる長さを有する枕状物体１０であって、前記枕状物体は、各々左右の肩に装着できる一対の肩用装着手段２と、後ろ腰側から腹部に巻かれて腰回りに装着できる腰用装着手段３とを備える。又、仰臥的状態の就寝時において、後頭部から後ろ腰を経て後ろ膝にわたって宛がわれる長さを有する枕状物体であって、前記枕状物体は、各々左右の肩に装着できる一対の肩用装着手段と、後ろ腰側から腹部に巻かれて腰回りに装着できる腰用装着手段と、左右の太股に巻かれて各々左右の太股に装着できる一対の太股用装着手段５とを備える。【選択図】図２【図１】
0005887394.tif 000002
【図２】
0005887394.tif 000003
【図３】
0005887394.tif 000004
【図４】
0005887394.tif 000005
【図５】
0005887394.tif 000006